(57)【要約】  本発明は、アップリンクプリコーディング方法、装置及びシステムを開示する。端末装置は少なくとも１つのＳＲＳリソースでＳＲＳを伝送し、ネットワーク側から、アップリンクデータ伝送のスケジューリングに用いられるＤＣＩを受信し、該ＤＣＩはＲＩ及び／又はＳＲＩを含み、更に、ＲＩ及び／又はＳＲＩ、並びに少なくとも１つのＳＲＳリソースに基づいて、アップリンクデータのプリコーディング方式を決定し、プリコーディング方式に基づいてアップリンクデータのプリコーディングを行い、プリコーディングされたアップリンクデータを送信する。本発明に係る技術的解決手段を適用することにより、シグナリングオーバーヘッド等を低下させることができる。
2020521381.tif 000002
【特許請求の範囲】
【請求項１】
アップリンクプリコーディング方法であって、
端末装置が少なくとも１つのサウンディング基準信号（ＳＲＳ）リソースでＳＲＳを伝送することと、
前記端末装置が、ネットワーク側から、アップリンクデータ伝送のスケジューリングに用いられるダウンリンク制御情報（ＤＣＩ）を受信することであって、前記ＤＣＩはランク指示（ＲＩ）及び／又はサウンディング基準信号リソース指示（ＳＲＩ）を含むことと、
前記端末装置が前記ＲＩ及び／又は前記ＳＲＩ、並びに前記少なくとも１つのＳＲＳリソースに基づいて、前記アップリンクデータのプリコーディング方式を決定することと、
前記端末装置が前記プリコーディング方式に基づいて前記アップリンクデータのプリコーディングを行い、プリコーディングされた前記アップリンクデータを送信することとを含むことを特徴とする、前記方法。
【請求項２】
前記プリコーディング方式は、アナログ領域ビームフォーミングに用いられるビーム及び／又はデジタル領域プリコーディングに用いられるプリコーディング行列を含むことを特徴とする
請求項１に記載の方法。
【請求項３】
前記ＤＣＩには、前記アップリンクデータに用いられるプリコーディング行列を指示するための情報が含まれないことを特徴とする
請求項１に記載の方法。
【請求項４】
前記少なくとも１つのＳＲＳリソースのうちの各ＳＲＳリソースはいずれも単一のアンテナポートを用い、
又は、前記少なくとも１つのＳＲＳリソースのうちの各ＳＲＳリソースはいずれもＮ個のアンテナポートを用い、
又は、前記少なくとも１つのＳＲＳリソースは、Ｋ個のＳＲＳリソースであり、且つ、ｋ番目のＳＲＳリソースはｋ個のアンテナポートを用い、
ここで、Ｎはアップリンクデータ伝送のためのポートの数であり、１≦ｋ≦Ｋ、Ｋ≦Ｎであることを特徴とする
請求項１に記載の方法。
【請求項５】
前記端末装置は、ダウンリンク信号から取得したダウンリンクチャネル情報に基づいて、前記ＳＲＳの伝送に用いられるビームを決定することを特徴とする
請求項１に記載の方法。
【請求項６】
前記端末装置が前記ＲＩ及び／又は前記ＳＲＩ並びに前記少なくとも１つのＳＲＳリソースに基づいて、前記アップリンクデータのプリコーディング方式を決定することは、
前記ＲＩ及び前記ＳＲＩに基づいて、前記少なくとも１つのＳＲＳリソースのうちのターゲットＳＲＳリソースを決定することと、
前記ターゲットＳＲＳリソースに用いられるプリコーディング方式に基づいて、前記アップリンクデータのプリコーディング方式を決定することとを含むことを特徴とする
請求項１に記載の方法。
【請求項７】
前記ＲＩ及び前記ＳＲＩに基づいて、前記少なくとも１つのＳＲＳリソースのうちのターゲットＳＲＳリソースを決定することは、
前記ＲＩに基づいて前記ターゲットＳＲＳリソースの数を決定することと、
前記ターゲットＳＲＳリソースの数及び前記ＳＲＩに基づいて、前記ターゲットＳＲＳリソースを決定することとを含むことを特徴とする
請求項６に記載の方法。
【請求項８】
前記少なくとも１つのＳＲＳリソースのうちの各ＳＲＳリソースはいずれも単一のアンテナポートを用いることを特徴とする
請求項６に記載の方法。
【請求項９】
前記端末装置が前記ＲＩ及び／又は前記ＳＲＩ並びに前記少なくとも１つのＳＲＳリソースに基づいて、前記アップリンクデータのプリコーディング方式を決定することは、
前記ＲＩに基づいてトランスポート層数を決定し、前記トランスポート層数及びアップリンクチャネル情報に基づいて前記アップリンクデータのプリコーディング行列を決定することと、
前記ＳＲＩに基づいて、前記少なくとも１つのＳＲＳリソースのうちのターゲットＳＲＳリソースを決定し、前記ターゲットＳＲＳリソースに用いられるビームに基づいて、前記アップリンクデータに用いられるビームを決定することと、
決定したプリコーディング行列及びビームに基づいて、前記アップリンクデータのプリコーディング方式を得ることとを含むことを特徴とする
請求項１に記載の方法。
【請求項１０】
前記少なくとも１つのＳＲＳリソースのうちの各ＳＲＳリソースはいずれもＮ個のアンテナポートを用い、Ｎはアップリンクデータ伝送のためのポートの数であることを特徴とする
請求項９に記載の方法。
【請求項１１】
前記端末装置が前記ＲＩ及び／又は前記ＳＲＩ、並びに前記少なくとも１つのＳＲＳリソースに基づいて、前記アップリンクデータのプリコーディング方式を決定することは、
前記ＲＩに基づいてトランスポート層数を決定し、前記トランスポート層数及びアップリンクチャネル情報に基づいて前記アップリンクデータのプリコーディング行列を決定することと、
前記少なくとも１つのＳＲＳリソースに用いられるビームに基づいて、前記アップリンクデータに用いられるビームを決定することと、
決定したプリコーディング行列及びビームに基づいて前記アップリンクデータのプリコーディング方式を得ることとを含むことを特徴とする
請求項１に記載の方法。
【請求項１２】
前記ＲＩが所在するＤＣＩには、ＳＲＳリソース指示情報が含まれないことを特徴とする
請求項１１に記載の方法。
【請求項１３】
前記少なくとも１つのＳＲＳリソースのうちの各ＳＲＳリソースはいずれもＮ個のアンテナポートを用い、Ｎはアップリンクデータ伝送のためのポートの数であることを特徴とする
請求項１１に記載の方法。
【請求項１４】
前記少なくとも１つのＳＲＳリソースは１つのＳＲＳリソースであることを特徴とする
請求項１１に記載の方法。
【請求項１５】
該方法は、前記端末がダウンリンク信号から取得したダウンリンクチャネル情報に基づいて、前記アップリンクチャネル情報を得ることを更に含むことを特徴とする
請求項９又は１１に記載の方法。
【請求項１６】
前記ダウンリンク信号は、ＤＣＩにおけるプリコーディング行列指示（ＰＭＩ）ドメインによって前記端末装置に指示されることを特徴とする
請求項１５に記載の方法。
【請求項１７】
前記ダウンリンク信号は、ダウンリンク基準信号又はダウンリンク同期信号を含むことを特徴とする
請求項１５に記載の方法。
【請求項１８】
前記端末装置が前記ＲＩ及び／又は前記ＳＲＩ並びに前記少なくとも１つのＳＲＳリソースに基づいて、前記アップリンクデータのプリコーディング方式を決定することは、
前記ＳＲＩに基づいて、前記少なくとも１つのＳＲＳリソースのうちのターゲットＳＲＳリソースを決定することと、
前記ターゲットＳＲＳリソースに用いられるプリコーディング方式に基づいて、前記アップリンクデータのプリコーディング方式を決定することとを含むことを特徴とする
請求項１に記載の方法。
【請求項１９】
前記ＳＲＩが所在するＤＣＩには、トランスポート層数指示情報が含まれないことを特徴とする
請求項１８に記載の方法。
【請求項２０】
前記端末装置は、前記ターゲットＳＲＳリソースのポートの数又は前記ターゲットＳＲＳリソースの数に基づいて、トランスポート層数を決定することを特徴とする
請求項１８に記載の方法。
【請求項２１】
前記端末装置が前記ＲＩ及び／又は前記ＳＲＩ並びに前記少なくとも１つのＳＲＳリソースに基づいて、前記アップリンクデータのプリコーディング方式を決定することは、
前記ＲＩに基づいて前記少なくとも１つのＳＲＳリソースのうちのターゲットＳＲＳリソースを決定することと、
前記ターゲットＳＲＳリソースに用いられるプリコーディング方式に基づいて前記アップリンクデータのプリコーディング方式を決定することとを含むことを特徴とする
請求項１に記載の方法。
【請求項２２】
前記ＲＩが所在するＤＣＩには、ＳＲＳリソース指示情報が含まれないことを特徴とする
請求項２１に記載の方法。
【請求項２３】
前記少なくとも１つのＳＲＳリソースがＫ個のＳＲＳリソースであり、且つ、ｋ番目のＳＲＳリソースがｋ個のアンテナポートを用い、
ここで、Ｎはアップリンクデータ伝送のためのポートの数であり、１≦ｋ≦Ｋ、Ｋ≦Ｎであることを特徴とする
請求項２１に記載の方法。
【請求項２４】
前記方法は、前記端末装置がネットワーク側から取得したプリコーディング方式指示情報又は前記少なくとも１つのＳＲＳリソースに用いられるポートの数に基づいて、前記アップリンクデータのプリコーディング方式の決定に用いられる方式を決定することを更に含むことを特徴とする
請求項１に記載の方法。
【請求項２５】
前記方法は、前記プリコーディング方式をダウンリンク信号から取得したダウンリンクチャネル情報に基づいて決定することを更に含むことを特徴とする
請求項１に記載の方法。
【請求項２６】
アップリンクプリコーディング方法であって、
ネットワーク側装置が、端末装置により少なくとも１つのサウンディング基準信号（ＳＲＳ）リソースで伝送されるＳＲＳを取得することと、
前記ネットワーク側装置が、アップリンクデータ伝送のスケジューリングに用いられるダウンリンク制御情報（ＤＣＩ）を前記端末装置に送信することであって、前記ＤＣＩはランク指示（ＲＩ）及び／又はサウンディング基準信号リソース指示（ＳＲＩ）を含み、これにより、前記端末装置が前記少なくとも１つのＳＲＳリソースと前記ＲＩ及び／又は前記ＳＲＩに基づいて、アップリンクデータのプリコーディング方式を決定し、前記プリコーディング方式に基づいて前記アップリンクデータのプリコーディングを行うようにすることと、
前記ネットワーク側装置が、前記端末装置からのプリコーディングされた前記アップリンクデータを受信することとを含むことを特徴とする、前記方法。
【請求項２７】
前記プリコーディング方式は、アナログ領域ビームフォーミングに用いられるビーム及び／又はデジタル領域プリコーディングに用いられるプリコーディング行列を含むことを特徴とする
請求項２６に記載の方法。
【請求項２８】
前記ＤＣＩには、前記アップリンクデータに用いられるプリコーディング行列を指示するための情報が含まれないことを特徴とする
請求項２６に記載の方法。
【請求項２９】
前記少なくとも１つのＳＲＳリソースのうちの各ＳＲＳリソースはいずれも単一のアンテナポートを用い、
又は、前記少なくとも１つのＳＲＳリソースのうちの各ＳＲＳリソースはいずれもＮ個のアンテナポートを用い、
又は、前記少なくとも１つのＳＲＳリソースは、Ｋ個のＳＲＳリソースであり、且つ、ｋ番目のＳＲＳリソースはｋ個のアンテナポートを用い、
ここで、Ｎはアップリンクデータ伝送のためのポートの数であり、１≦ｋ≦Ｋ、Ｋ≦Ｎであることを特徴とする
請求項２６に記載の方法。
【請求項３０】
前記ＳＲＳの伝送に用いられるビームは、前記端末装置によりダウンリンク信号から取得したダウンリンクチャネル情報に基づいて決定されたものであることを特徴とする
請求項２６に記載の方法。
【請求項３１】
情報処理ユニットと、プリコーディング方式決定ユニットと、アップリンクデータ処理ユニットとを備える端末装置であって、
前記情報処理ユニットは、少なくとも１つのサウンディング基準信号（ＳＲＳ）リソースでＳＲＳを伝送し、ネットワーク側から、アップリンクデータ伝送のスケジューリングに用いられるダウンリンク制御情報（ＤＣＩ）を受信するために用いられ、前記ＤＣＩは、ランク指示（ＲＩ）及び／又はサウンディング基準信号リソース指示（ＳＲＩ）を含み、
前記プリコーディング方式決定ユニットは、前記ＲＩ及び／又は前記ＳＲＩ、並びに前記少なくとも１つのＳＲＳリソースに基づいて、前記アップリンクデータのプリコーディング方式を決定するために用いられ、
前記アップリンクデータ処理ユニットは、前記プリコーディング方式に基づいて前記アップリンクデータのプリコーディングを行い、プリコーディングされた前記アップリンクデータを送信するために用いられることを特徴とする、前記端末装置。
【請求項３２】
前記プリコーディング方式は、アナログ領域ビームフォーミングに用いられるビーム及び／又はデジタル領域プリコーディングに用いられるプリコーディング行列を含むことを特徴とする
請求項３１に記載の端末装置。
【請求項３３】
前記ＤＣＩには、前記アップリンクデータに用いられるプリコーディング行列を指示するための情報が含まれないことを特徴とする
請求項３１に記載の端末装置。
【請求項３４】
前記少なくとも１つのＳＲＳリソースのうちの各ＳＲＳリソースはいずれも単一のアンテナポートを用い、
又は、前記少なくとも１つのＳＲＳリソースのうちの各ＳＲＳリソースはいずれもＮ個のアンテナポートを用い、
又は、前記少なくとも１つのＳＲＳリソースは、Ｋ個のＳＲＳリソースであり、且つ、ｋ番目のＳＲＳリソースはｋ個のアンテナポートを用い、
ここで、Ｎはアップリンクデータ伝送のためのポートの数であり、１≦ｋ≦Ｋ、Ｋ≦Ｎであることを特徴とする
請求項３１に記載の端末装置。
【請求項３５】
前記情報処理ユニットは、ダウンリンク信号から取得したダウンリンクチャネル情報に基づいて、前記ＳＲＳの伝送に用いられるビームを決定することを特徴とする
請求項３１に記載の端末装置。
【請求項３６】
前記プリコーディング方式決定ユニットは、前記ＲＩ及び前記ＳＲＩに基づいて、前記少なくとも１つのＳＲＳリソースのうちのターゲットＳＲＳリソースを決定し、前記ターゲットＳＲＳリソースに用いられるプリコーディング方式に基づいて、前記アップリンクデータのプリコーディング方式を決定することを特徴とする
請求項３１に記載の端末装置。
【請求項３７】
前記プリコーディング方式決定ユニットは、前記ＲＩに基づいて前記ターゲットＳＲＳリソースの数を決定し、前記ターゲットＳＲＳリソースの数及び前記ＳＲＩに基づいて、前記ターゲットＳＲＳリソースを決定することを特徴とする
請求項３６に記載の端末装置。
【請求項３８】
前記少なくとも１つのＳＲＳリソースのうちの各ＳＲＳリソースはいずれも単一のアンテナポートを用いることを特徴とする
請求項３６に記載の端末装置。
【請求項３９】
前記プリコーディング方式決定ユニットは、前記ＲＩに基づいてトランスポート層数を決定し、前記トランスポート層数及びアップリンクチャネル情報に基づいて前記アップリンクデータのプリコーディング行列を決定し、前記ＳＲＩに基づいて、前記少なくとも１つのＳＲＳリソースのうちのターゲットＳＲＳリソースを決定し、前記ターゲットＳＲＳリソースに用いられるビームに基づいて、前記アップリンクデータに用いられるビームを決定し、決定したプリコーディング行列及びビームに基づいて、前記アップリンクデータのプリコーディング方式を得ることとを含むことを特徴とする
請求項３１に記載の端末装置。
【請求項４０】
前記少なくとも１つのＳＲＳリソースのうちの各ＳＲＳリソースはいずれもＮ個のアンテナポートを用い、Ｎはアップリンクデータ伝送のためのポートの数であることを特徴とする
請求項３９に記載の端末装置。
【請求項４１】
前記プリコーディング方式決定ユニットは、前記ＲＩに基づいてトランスポート層数を決定し、前記トランスポート層数及びアップリンクチャネル情報に基づいて前記アップリンクデータのプリコーディング行列を決定し、前記少なくとも１つのＳＲＳリソースに用いられるビームに基づいて、前記アップリンクデータに用いられるビームを決定し、決定したプリコーディング行列及びビームに基づいて前記アップリンクデータのプリコーディング方式を得ることを特徴とする
請求項３１に記載の端末装置。
【請求項４２】
前記ＲＩが所在するＤＣＩには、ＳＲＳリソース指示情報が含まれないことを特徴とする
請求項４１に記載の端末装置。
【請求項４３】
前記少なくとも１つのＳＲＳリソースのうちの各ＳＲＳリソースはいずれもＮ個のアンテナポートを用い、Ｎはアップリンクデータ伝送のためのポートの数であることを特徴とする
請求項４１に記載の端末装置。
【請求項４４】
前記少なくとも１つのＳＲＳリソースは１つのＳＲＳリソースであることを特徴とする
請求項４１に記載の端末装置。
【請求項４５】
前記プリコーディング方式決定ユニットは、ダウンリンク信号から取得したダウンリンクチャネル情報に基づいて、前記アップリンクチャネル情報を得ることを特徴とする
請求項３９又は４１に記載の端末装置。
【請求項４６】
前記ダウンリンク信号は、ＤＣＩにおけるプリコーディング行列指示（ＰＭＩ）ドメインによって前記端末装置に指示されることを特徴とする
請求項４５に記載の端末装置。
【請求項４７】
前記ダウンリンク信号は、ダウンリンク基準信号又はダウンリンク同期信号を含むことを特徴とする
請求項４５に記載の端末装置。
【請求項４８】
前記プリコーディング方式決定ユニットは、前記ＳＲＩに基づいて、前記少なくとも１つのＳＲＳリソースのうちのターゲットＳＲＳリソースを決定し、前記ターゲットＳＲＳリソースに用いられるプリコーディング方式に基づいて、前記アップリンクデータのプリコーディング方式を決定することを特徴とする
請求項３１に記載の端末装置。
【請求項４９】
前記ＳＲＩが所在するＤＣＩには、トランスポート層数指示情報が含まれないことを特徴とする
請求項４８に記載の端末装置。
【請求項５０】
前記プリコーディング方式決定ユニットは、前記ターゲットＳＲＳリソースのポートの数又は前記ターゲットＳＲＳリソースの数に基づいて、トランスポート層数を決定することを特徴とする
請求項４８に記載の端末装置。
【請求項５１】
前記プリコーディング方式決定ユニットは、前記ＲＩに基づいて前記少なくとも１つのＳＲＳリソースのうちのターゲットＳＲＳリソースを決定し、前記ターゲットＳＲＳリソースに用いられるプリコーディング方式に基づいて前記アップリンクデータのプリコーディング方式を決定することを特徴とする
請求項３１に記載の端末装置。
【請求項５２】
前記ＲＩが所在するＤＣＩには、ＳＲＳリソース指示情報が含まれないことを特徴とする
請求項５１に記載の端末装置。
【請求項５３】
前記少なくとも１つのＳＲＳリソースがＫ個のＳＲＳリソースであり、且つ、ｋ番目のＳＲＳリソースがｋ個のアンテナポートを用い、
ここで、Ｎはアップリンクデータ伝送のためのポートの数であり、１≦ｋ≦Ｋ、Ｋ≦Ｎであることを特徴とする
請求項５１に記載の端末装置。
【請求項５４】
前記プリコーディング方式決定ユニットは更に、ネットワーク側から取得したプリコーディング方式指示情報又は前記少なくとも１つのＳＲＳリソースに用いられるポートの数に基づいて、前記アップリンクデータのプリコーディング方式の決定に用いられる方式を決定するために用いられることを特徴とする
請求項３１に記載の端末装置。
【請求項５５】
前記プリコーディング方式をダウンリンク信号から取得したダウンリンクチャネル情報に基づいて決定することを特徴とする
請求項３１に記載の端末装置。
【請求項５６】
第１処理ユニットと、第２処理ユニットとを備えるネットワーク側装置であって、
前記第１処理ユニットは、端末装置により少なくとも１つのサウンディング基準信号（ＳＲＳ）リソースで伝送されるＳＲＳを取得し、アップリンクデータ伝送のスケジューリングに用いられるダウンリンク制御情報（ＤＣＩ）を端末装置に送信し、前記ＤＣＩは、ランク指示（ＲＩ）及び／又はサウンディング基準信号リソース指示（ＳＲＩ）を含み、これにより、前記端末装置が前記少なくとも１つのＳＲＳリソースと前記ＲＩ及び／又は前記ＳＲＩに基づいて、アップリンクデータのプリコーディング方式を決定し、前記プリコーディング方式に基づいて前記アップリンクデータのプリコーディングを行うようにするために用いられ、
前記第２処理ユニットは、前記端末装置からのプリコーディングされた前記アップリンクデータを受信するために用いられることを特徴とする、前記ネットワーク側装置。
【請求項５７】
前記プリコーディング方式は、アナログ領域ビームフォーミングに用いられるビーム及び／又はデジタル領域プリコーディングに用いられるプリコーディング行列を含むことを特徴とする
請求項５６に記載のネットワーク側装置。
【請求項５８】
前記ＤＣＩには、前記アップリンクデータに用いられるプリコーディング行列を指示するための情報が含まれないことを特徴とする
請求項５６に記載のネットワーク側装置。
【請求項５９】
前記少なくとも１つのＳＲＳリソースのうちの各ＳＲＳリソースはいずれも単一のアンテナポートを用い、
又は、前記少なくとも１つのＳＲＳリソースのうちの各ＳＲＳリソースはいずれもＮ個のアンテナポートを用い、
又は、前記少なくとも１つのＳＲＳリソースは、Ｋ個のＳＲＳリソースであり、且つ、ｋ番目のＳＲＳリソースはｋ個のアンテナポートを用い、
ここで、Ｎはアップリンクデータ伝送のためのポートの数であり、１≦ｋ≦Ｋ、Ｋ≦Ｎであることを特徴とする
請求項５６に記載のネットワーク側装置。
【請求項６０】
前記ＳＲＳの伝送に用いられるビームは、前記端末装置によりダウンリンク信号から取得したダウンリンクチャネル情報に基づいて決定されたものであることを特徴とする
請求項５６に記載のネットワーク側装置。
【請求項６１】
アップリンクプリコーディングシステムであって、
請求項３１〜５５のうちいずれか一項に記載の端末装置と、請求項５６〜６０のうちいずれか一項に記載のネットワーク側装置とを備えることを特徴とする、前記システム。
【発明の詳細な説明】
【技術分野】
【０００１】
本発明は、無線ネットワーク技術に関し、特に、アップリンクプリコーディング方法、装置及びシステムに関する。
【背景技術】
【０００２】
端末装置は、アップリンクデータを送信する時、アップリンクプリコーディングゲインを得るために、アップリンクデータに対してプリコーディング処理を行う必要がある。
【０００３】
プリコーディング処理は、一般的には、アナログ領域処理とデジタル領域処理という２部分に分けられる。アナログ領域処理は、アナログ信号に向けられ、一般的には、ビームフォーミングの方式で、無線周波数信号を物理アンテナにマッピングするものである。デジタル領域処理は、デジタル信号に向けられ、ベースバンドにおいて、プリコーディング行列を用いてデジタル信号をプリコーディングし、トランスポート層のデータを無線周波数ポートにマッピングするものである。
【０００４】
端末装置における無線周波数チャネルの数が限られるため、一般的には、２つの処理方式を同時に用いる必要があり、即ち、デジタル信号をプリコーディングし、アナログ信号をビームでフォーミングする。
【０００５】
コードブックに基づくアップリンクプリコーディング方式において、端末装置は、複数のサウンディング基準信号（Ｓｏｕｎｄｉｎｇ  Ｒｅｆｅｒｅｎｃｅ  Ｓｉｇｎａｌ：ＳＲＳ）リソースでＳＲＳを送信する。各ＳＲＳリソースにおけるＳＲＳについて異なるビームを用いる。ネットワーク側は、これらの中から最も好ましいＳＲＳリソースを選択してアップリンクチャネル状態情報（Ｃｈａｎｎｅｌ  Ｓｔａｔｅ  Ｉｎｆｏｒｍａｔｉｏｎ：ＣＳＩ）の取得に適用し、リソースインデックスをＳＲＳリソース指示（ＳＲＳ  Ｒｅｓｏｕｒｃｅ  Ｉｎｄｉｃａｔｉｏｎ：ＳＲＩ）によって端末装置に指示する。従って、端末装置は、ＳＲＳリソースに対応するビームでアップリンクデータに対してアナログプリコーディングを行う。それと同時に、ネットワーク側は、ダウンリンク制御情報（Ｄｏｗｎｌｉｎｋ  Ｃｏｎｔｒｏｌ  Ｉｎｆｏｒｍａｔｉｏｎ：ＤＣＩ）によってランク指示（Ｒａｎｋ  ｉｎｄｉｃａｔｉｏｎ：ＲＩ）及びプリコーディング行列指示（Ｐｒｅｃｏｄｉｎｇ  Ｍａｔｒｉｘ  Ｉｎｄｉｃａｔｉｏｎ：ＰＭＩ）を指示し、端末装置は、ＲＩ及びＰＭＩに基づいて、コードブックからＰＭＩに対応するアップリンクプリコーディング行列を決定する。
【０００６】
従来の処理方式によれば、ＤＣＩにはＲＩ、ＰＭＩ及びＳＲＩ等の様々な情報が含まれる必要があり、大きなシグナリングオーバーヘッドを必要とすることが分かる。
【発明の概要】
【発明が解決しようとする課題】
【０００７】
これに鑑み、本発明は、シグナリングオーバーヘッドを低下させることができる、アップリンクプリコーディング方法、装置及びシステムを提供する。
【課題を解決するための手段】
【０００８】
具体的な技術的解決手段は以下のとおりである。
【０００９】
アップリンクプリコーディング方法であって、
端末装置が少なくとも１つのＳＲＳリソースでＳＲＳを伝送することと、
前記端末装置が、ネットワーク側から、アップリンクデータ伝送のスケジューリングに用いられるＤＣＩを受信することであって、前記ＤＣＩはＲＩ及び／又はＳＲＩを含むことと、
前記端末装置が前記ＲＩ及び／又は前記ＳＲＩ、並びに前記少なくとも１つのＳＲＳリソースに基づいて、前記アップリンクデータのプリコーディング方式を決定することと、
前記端末装置が前記プリコーディング方式に基づいて前記アップリンクデータのプリコーディングを行い、プリコーディングされた前記アップリンクデータを送信することとを含む。
【００１０】
アップリンクプリコーディング方法であって、
ネットワーク側装置が、端末装置により少なくとも１つのＳＲＳリソースで伝送されるＳＲＳを取得することと、
前記ネットワーク側装置が、アップリンクデータ伝送のスケジューリングに用いられるＤＣＩを端末装置に送信し、前記ＤＣＩはＲＩ及び／又はＳＲＩを含み、これにより、前記端末装置が前記少なくとも１つのＳＲＳリソースと前記ＲＩ及び／又は前記ＳＲＩに基づいて、アップリンクデータのプリコーディング方式を決定し、前記プリコーディング方式に基づいて前記アップリンクデータのプリコーディングを行うようにすることと、
前記ネットワーク側装置が、前記端末装置からのプリコーディングされた前記アップリンクデータを受信することとを含む。
【００１１】
情報処理ユニットと、プリコーディング方式決定ユニットと、アップリンクデータ処理ユニットとを備える端末装置であって、
前記情報処理ユニットは、少なくとも１つのＳＲＳリソースでＳＲＳを伝送し、ネットワーク側から、アップリンクデータ伝送のスケジューリングに用いられるＤＣＩを受信するために用いられ、前記ＤＣＩはＲＩ及び／又はＳＲＩを含み、
前記プリコーディング方式決定ユニットは、前記ＲＩ及び／又は前記ＳＲＩ、並びに前記少なくとも１つのＳＲＳリソースに基づいて、前記アップリンクデータのプリコーディング方式を決定するために用いられ、
前記アップリンクデータ処理ユニットは、前記プリコーディング方式に基づいて前記アップリンクデータのプリコーディングを行い、プリコーディングされた前記アップリンクデータを送信するために用いられる。
【００１２】
第１処理ユニットと、第２処理ユニットとを備えるネットワーク側装置であって、
前記第１処理ユニットは、端末装置により少なくとも１つのＳＲＳリソースで伝送されるＳＲＳを取得し、アップリンクデータ伝送のスケジューリングに用いられるＤＣＩを端末装置に送信し、前記ＤＣＩはＲＩ及び／又はＳＲＩを含み、これにより、前記端末装置が前記少なくとも１つのＳＲＳリソースと前記ＲＩ及び／又は前記ＳＲＩに基づいて、アップリンクデータのプリコーディング方式を決定し、前記プリコーディング方式に基づいて前記アップリンクデータのプリコーディングを行うようにするために用いられ、
前記第２処理ユニットは、前記端末装置からのプリコーディングされた前記アップリンクデータを受信するために用いられる。
【００１３】
アップリンクプリコーディングシステムであって、該システムは、上記のような端末装置と、上記のようなネットワーク側装置とを備える。
【００１４】
以上より、本発明の前記技術的解決手段を利用すれば、ネットワーク側から端末装置に送信したＤＣＩにＲＩ及びＳＲＩのうちの１つ又は２つを含ませれば、端末装置がＲＩ及び／又はＳＲＩ等に基づいてアップリンクデータのプリコーディング方式を決定でき、更にアップリンクデータをプリコーディングして送信することで、従来技術に比べてＤＣＩにおけるシグナリングオーバーヘッドを低下させることが明らかである。
【図面の簡単な説明】
【００１５】
【図１】本発明に係るアップリンクプリコーディング方法の実施例を示すフローチャートである。
【図２】本発明に係る端末装置の実施例の構成を示す概略図である。
【図３】本発明に係るネットワーク側装置の実施例の構成を示す概略図である。
【発明を実施するための形態】
【００１６】
本発明の技術的解決手段をより明確で簡潔にするために、以下、図面を参照して実施例を挙げて、本発明に係る技術的解決手段を更に説明する。
【００１７】
記載された実施例は、本発明の実施例の一部に過ぎず、全ての実施例ではないことが明らかである。本発明における実施方式に基づき、当業者が創造的労力を要することなく得られたすべての他の実施方式は、本発明の保護範囲に属する。
【００１８】
図１は、本発明に係るアップリンクプリコーディング方法の実施例を示すフローチャートである。図１に示すように、以下の具体的な実現方式を含む。
【００１９】
１００において、端末装置は、少なくとも１つのＳＲＳリソースでＳＲＳを伝送する。
【００２０】
少なくとも１つのＳＲＳリソースとは、ＳＲＳリソースの数が１でもよく、１を超えてもよいことを意味する。
【００２１】
ここで、少なくとも１つのＳＲＳリソースのうちの各ＳＲＳリソースは、いずれも単一のアンテナポートを用いる。
【００２２】
又は、少なくとも１つのＳＲＳリソースのうちの各ＳＲＳリソースは、いずれもＮ個のアンテナポートを用いる。
【００２３】
又は、少なくとも１つのＳＲＳリソースはＫ個のＳＲＳリソースであり、且つ、ｋ番目のＳＲＳリソースはｋ個のアンテナポートを用いる。
【００２４】
Ｎはアップリンクデータ伝送のためのポートの数であり、１≦ｋ≦Ｋ、Ｋ≦Ｎである。
【００２５】
Ｋの値が４であるとすれば、最初のＳＲＳリソースについて、１つのアンテナポートを用いることができ、２番目のＳＲＳリソースについて、２つのアンテナポートを用いることができ、３番目のＳＲＳリソースについて、３つのアンテナポートを用いることができ、４番目のＳＲＳリソースについて、４つのアンテナポートを用いることができる。
【００２６】
実際の適用において、端末装置は、ダウンリンク信号から取得したダウンリンクチャネル情報に基づいて、ＳＲＳ伝送のためのビームを決定することができる。例えば、端末装置は、ダウンリンク信号を受信した受信ビームに基づいて、ＳＲＳ伝送のためのビームを決定することができる。
【００２７】
前記ビームは、アナログビームフォーミングに用いられるビームであり、ネットワーク側に対して可視的なものではない。
【００２８】
ダウンリンク信号は、ＤＣＩにおけるＰＭＩ指示領域によって端末装置に指示される。
【００２９】
なお、ダウンリンク信号とは、ダウンリンク基準信号又はダウンリンク同期信号を指してもよい。
【００３０】
１０１において、端末装置は、ネットワーク側から、アップリンクデータ伝送のスケジューリングに用いられる、ＲＩ及び／又はＳＲＩを含むＤＣＩを受信する。
【００３１】
ＤＣＩには、アップリンクデータに用いられるプリコーディング行列を指示するための情報が含まれない。
【００３２】
具体的には、ＤＣＩには、ＰＭＩ指示の情報領域が含まれなくてもよく、又は、ＤＣＩには、ＰＭＩ指示の情報領域が含まれるが、プリコーディング行列を指示するためのものではなく、アンテナポート等のような他の情報を指示するためのものである。
【００３３】
ＤＣＩにＲＩ及び／又はＳＲＩが含まれることは、ＤＣＩにＲＩ又はＳＲＩのみが含まれてもよく、ＲＩ及びＳＲＩが同時に含まれてもよいことを指し、具体的にはどのようなものが含まれるかは、ネットワーク側によって設定される。
【００３４】
１０２において、端末装置は、ＲＩ及び／又はＳＲＩ並びに少なくとも１つのＳＲＳリソースに基づいて、アップリンクデータのプリコーディング方式を決定する。
【００３５】
プリコーディング方式は、アナログ領域ビームフォーミングに用いられるビーム及び／又はデジタル領域プリコーディングに用いられるプリコーディング行列を含む。端末装置は、アナログプリコーディングとデジタルプリコーディングを組み合わせて結合したプリコーディング行列を得て、アップリンクデータのプリコーディング方式とすることもできる。
【００３６】
本実施例において、端末装置がアップリンクデータのプリコーディング方式を如何に決定するかについて、５つの好適な実現方式を提供し、以下、それぞれ説明する。
【００３７】
１）方式１
端末装置は、ＲＩ及びＳＲＩに基づいて少なくとも１つのＳＲＳリソースにおけるターゲットＳＲＳリソースを決定し、更に、ターゲットＳＲＳリソースに用いられるプリコーディング方式に基づいて、アップリンクデータのプリコーディング方式を決定することができる。
【００３８】
ここで、端末装置は、まず、ＲＩに基づいてターゲットＳＲＳリソースの数を決定してから、ターゲットＳＲＳリソースの数及びＳＲＩに基づいてターゲットＳＲＳリソースを決定することができる。
【００３９】
ターゲットＳＲＳリソースの数が異なる場合、ＳＲＩとターゲットＳＲＳリソースとの対応関係も異なる。
【００４０】
少なくとも１つのＳＲＳリソースが４つのＳＲＳリソースであるとすれば、ＲＩ（２ビット）指示の異なるＲａｎｋ値に対応して、ＳＲＩとＳＲＳリソースとの対応関係は、表１に示すとおりであり、Ｒａｎｋ値はターゲットＳＲＳリソースの数に等しい。
【００４１】
【表１】
2020521381.tif 000003
【００４２】
表１  ＳＲＩとＳＲＳリソースとの対応関係
該方式において、少なくとも１つのＳＲＳリソースのうちの各ＳＲＳリソースはいずれも単一のアンテナポートを用いる。
【００４３】
各ターゲットＳＲＳリソースは１つのアップリンクトランスポート層に対応する。端末装置はアップリンクデータのプリコーディング方式を決定する時、各ターゲットＳＲＳリソースに用いられるビーム及びプリコーディング行列を、１つのトランスポート層による伝送に用いられるビーム及びプリコーディング行列とすることができる。
【００４４】
２）方式２
端末装置は、ＲＩに基づいてトランスポート層数を決定し、トランスポート層数及びアップリンクチャネル情報に基づいてアップリンクデータのプリコーディング行列を決定し、ＳＲＩに基づいて少なくとも１つのＳＲＳリソースのうちのターゲットＳＲＳリソースを決定し、ターゲットＳＲＳリソースに用いられるビームに基づいて、アップリンクデータに用いられるビームを決定し、決定したプリコーディング行列及びビームに基づいて、アップリンクデータのプリコーディング方式を得ることができる。
【００４５】
該方式において、ビーム決定プロセスとプリコーディング決定プロセスの優先順位は決まったものではない。
【００４６】
端末装置は、ダウンリンク信号に基づいて取得したダウンリンクチャネル情報に基づいて、アップリンクチャネル情報を取得することができる。
【００４７】
ダウンリンク信号は、ＤＣＩにおけるＰＭＩ指示領域によって、端末装置に指示される。
【００４８】
なお、ダウンリンク信号とは、ダウンリンク基準信号又はダウンリンク同期信号を指してもよい。
【００４９】
端末装置は、ＲＩに基づいて、トランスポート層数を決定してから、トランスポート層数とアップリンクチャネル情報を組み合わせてアップリンクデータのプリコーディング行列を決定することができる。例えば、アップリンクチャネル情報におけるアップリンクチャネル関連行列又は共分散行列の最初のＲ個の特徴ベクトルをアップリンクデータのプリコーディング行列とすることができ、Ｒはトランスポート層数を表す。
【００５０】
該方式において、少なくとも１つのＳＲＳリソースのうちの各ＳＲＳリソースはいずれもＮ個のアンテナポートを用い、Ｎはアップリンクデータ伝送のためのポートの数である。
【００５１】
なお、該方式において、ターゲットＳＲＳリソースの数は一般的に１つであり、ＳＲＩにおいてターゲットＳＲＳリソースのインデックスを搬送することができ、ターゲットＳＲＳリソースを決定してから、ターゲットＳＲＳリソースに用いられるビームをアップリンクデータに用いられるビームと決定することができる。
【００５２】
以上より、該方式において、ＲＩ及びアップリンクチャネル情報によって、アップリンクデータのプリコーディング行列を決定し、ＳＲＩによって、アップリンクデータに用いられるビームを決定することで、アップリンクデータのプリコーディング方式を得る。
【００５３】
３）方式３
端末装置は、ＲＩに基づいてトランスポート層数を決定し、トランスポート層数及びアップリンクチャネル情報に基づいて、アップリンクデータのプリコーディング行列を決定し、少なくとも１つのＳＲＳリソースに用いられるビームに基づいて、アップリンクデータに用いられるビームを決定し、決定したプリコーディング行列及びビームに基づいて、アップリンクデータのプリコーディング方式を得ることができる。
【００５４】
該方式において、ＲＩが所在するＤＣＩには、ＳＲＳリソース指示情報が含まれず、具体的には、ＤＣＩには、ＳＲＩ情報領域が含まれなくてもよく、又は、ＤＣＩには、ＳＲＩ情報領域が含まれるが、ＳＲＳリソースを指示するためのものではなく、アンテナポート等のような他の情報を指示するためのものである。
【００５５】
端末装置は、ダウンリンク信号に基づいて取得したダウンリンクチャネル情報に基づいて、アップリンクチャネル情報を取得することができる。
【００５６】
ダウンリンク信号は、ＤＣＩにおけるＰＭＩ指示領域によって、端末装置に指示される。
【００５７】
なお、ダウンリンク信号とは、ダウンリンク基準信号又はダウンリンク同期信号を指してもよい。
【００５８】
端末装置は、ＲＩに基づいて、トランスポート層数を決定してから、トランスポート層数とアップリンクチャネル情報を組み合わせてアップリンクデータのプリコーディング行列を決定することができる。例えば、アップリンクチャネル情報におけるアップリンクチャネル関連行列又は共分散行列の最初のＲ個の特徴ベクトルをアップリンクデータのプリコーディング行列とすることができ、Ｒはトランスポート層数を表す。
【００５９】
該方式において、少なくとも１つのＳＲＳリソースのうちの各ＳＲＳリソースはいずれもＮ個のアンテナポートを用い、Ｎはアップリンクデータ伝送のためのポートの数である。
【００６０】
なお、該方式において、少なくとも１つのＳＲＳリソースは１つのＳＲＳリソースであり、該ＳＲＳリソースにおけるＳＲＳ伝送に用いられるビームを、ダウンリンク信号から取得したダウンリンクチャネル情報に基づいて決定することができる。例えば、端末装置は、ダウンリンク信号受信に用いられる受信ビームに基づいて、ＳＲＳ伝送に用いられる送信ビームを決定することができる。
【００６１】
端末装置はアップリンクデータのプリコーディング方式を決定する時、少なくとも１つのＳＲＳリソースに用いられるビームを、アップリンクデータに用いられるビームとし、ＲＩ及びアップリンクチャネル情報に基づいて決定したプリコーディング行列をアップリンクデータのプリコーディング行列とすることができる。
【００６２】
４）方式４
端末装置は、ＳＲＩに基づいて少なくとも１つのＳＲＳリソースのうちのターゲットＳＲＳリソースを決定し、ターゲットＳＲＳリソースに用いられるプリコーディング方式に基づいてアップリンクデータのプリコーディング方式を決定することができる。
【００６３】
該方式において、ＳＲＩが所在するＤＣＩには、トランスポート層数指示情報が含まれず、具体的には、ＤＣＩには、ＲＩ情報領域が含まれなくてもよく、又は、ＤＣＩには、ＲＩ情報領域が含まれるが、トランスポート層数を指示するためのものではなく、アンテナポート等のような他の情報を指示するためのものである。
【００６４】
端末装置は、ターゲットＳＲＳリソースのポートの数又はターゲットＳＲＳリソースの数に基づいてトランスポート層数を決定することができる。ここで、少なくとも１つのＳＲＳリソースのうちの各ＳＲＳリソースがいずれも単一のアンテナポートを用いると、端末装置は、ターゲットＳＲＳリソースの数に基づいてトランスポート層数を決定することができる。少なくとも１つのＳＲＳリソースがＫ個のＳＲＳリソースであり、且つ、ｋ番目のＳＲＳリソースはｋ個のアンテナポートを用いると、端末装置は、ターゲットＳＲＳリソースのポートの数に基づいてトランスポート層数を決定することができる。
【００６５】
例えば、少なくとも１つのＳＲＳリソースのうちの各ＳＲＳリソースがいずれも単一のアンテナポートを用い、ＳＲＩはｂｉｔｍａｐの方式で少なくとも１つのＳＲＳリソースからターゲットＳＲＳリソースを指示することができる。ターゲットＳＲＳリソースの数は、トランスポート層数である。各ターゲットＳＲＳリソースはそれぞれ１つのアップリンクトランスポート層に対応する。各ターゲットＳＲＳリソースに用いられるビーム及びプリコーディング行列を、それぞれ１つのトランスポート層による伝送に用いられるビーム及びプリコーディング行列とすることができる。
【００６６】
また、例えば、少なくとも１つのＳＲＳリソースがＫ個のＳＲＳリソースであり、且つ、ｋ番目のＳＲＳリソースがｋ個のアンテナポートを用い、Ｎはアップリンクデータ伝送のためのポートの数であり、１≦ｋ≦Ｋ、Ｋ≦Ｎである。ＳＲＩは、Ｋ個のＳＲＳリソースから１つのＳＲＳリソースのインデックスを指示してターゲットＳＲＳリソースとすることができる。ターゲットＳＲＳリソースのポートの数は、トランスポート層数である。ネットワーク側は、ＳＲＳリソース指示プロセスにおいて、トランスポート層数及びプリコーディング方式を同時に指示する。該方式について、各ターゲットＳＲＳリソースは１つのアップリンクトランスポート層数に対応する。端末装置は、ターゲットＳＲＳリソースのｋ個のポートに用いられるビーム及びプリコーディング行列を、それぞれｋ個のトランスポート層による伝送に用いられるビーム及びプリコーディング行列として用いる。
【００６７】
５）方式５
端末装置は、ＲＩに基づいて、少なくとも１つのＳＲＳリソースのうちのターゲットＳＲＳリソースを決定し、ターゲットＳＲＳリソースに用いられるプリコーディング方式に基づいて、アップリンクデータのプリコーディング方式を決定する。
【００６８】
該方式において、ＲＩが所在するＤＣＩには、ＳＲＳリソース指示情報が含まれず、具体的には、ＤＣＩには、ＳＲＩ情報領域が含まれなくてもよく、又は、ＤＣＩには、ＳＲＩ情報領域が含まれるが、ＳＲＳリソースを指示するためのものではなく、アンテナポート等のような他の情報を指示するためのものである。
【００６９】
又、該方式において、少なくとも１つのＳＲＳリソースがＫ個のＳＲＳリソースであり、且つ、ｋ番目のＳＲＳリソースがｋ個のアンテナポートを用いる。ここで、Ｎはアップリンクデータ伝送のためのポートの数であり、１≦ｋ≦Ｋ、Ｋ≦Ｎである。
【００７０】
該方式において、ターゲットＳＲＳリソースの数は１つであり、ターゲットＳＲＳリソースのポートの数は、トランスポート層数である。ＲＩは、トランスポート層数及びターゲットＳＲＳリソースを同時に指示するためのものである。例えば、ｋ番目のＳＲＳリソースがｋ個のポートを有する。ＲＩはトランスポート層数がｋであることを指示し、即ち、ｋ番目のＳＲＳリソースがターゲットＳＲＳリソースであることを指示する。各ターゲットＳＲＳリソースは、１つのアップリンクトランスポート層数に対応する。端末装置は、ターゲットＳＲＳリソースのｋ個のポートに用いられるビーム及びプリコーディング行列を、それぞれｋ個のトランスポート層による伝送に用いられるビーム及びプリコーディング行列として用いる。
【００７１】
以上より、５種のアップリンクデータのプリコーディング方式の実現方式を説明したが、実際の適用において、実際の状況に応じて実現方式を選択することができる。
【００７２】
例えば、端末装置は、ネットワーク側から取得したプリコーディング方式指示情報又は少なくとも１つのＳＲＳリソースに用いられるポートの数に基づいて、用いられる方式を決定することができる。
【００７３】
ネットワーク側は、上位層シグナリング等によってプリコーディング方式指示情報を送信することができる。それに対応して、端末装置は、指示された方式に基づいてアップリンクデータのプリコーディング方式を決定することができる。
【００７４】
又は、少なくとも１つのＳＲＳリソースに用いられるポートの数に基づいて、用いられる方式を決定することもできる。例えば、少なくとも１つのＳＲＳリソースのうちの各ＳＲＳリソースがいずれも単一のアンテナポートを用い、且つＤＣＩには含ＲＩ及びＳＲＩが含まれると、端末装置は、方式１によって、アップリンクデータのプリコーディング方式を決定することができる。
【００７５】
１０３において、端末装置は、決定されたプリコーディング方式に基づいて、アップリンクデータのプリコーディングを行い、プリコーディングされたアップリンクデータを送信する。
【００７６】
プリコーディング方式を決定してから、端末装置は、従来の技術によって、アップリンクデータのプリコーディングを行い、プリコーディングされたアップリンクデータを送信することができる。
【００７７】
図１に示した方法の実施例において、端末装置側から本発明の前記技術的解決手段を説明する。ネットワーク側装置について、ネットワーク側装置は、端末装置により少なくとも１つのＳＲＳリソースで伝送されたＳＲＳを取得し、アップリンクデータ伝送のスケジューリングのためのＤＣＩを端末装置に送信することができる。ＤＣＩには、ＲＩ及び／又はＳＲＩが含まれる。従って、端末装置は、少なくとも１つのＳＲＳリソースとＲＩ及び／又はＳＲＩに基づいて、アップリンクデータのプリコーディング方式を決定し、決定されたプリコーディング方式に基づいて、アップリンクデータのプリコーディングを行うことができる。それに対応して、ネットワーク側装置は、端末装置からのプリコーディングされたアップリンクデータを受信する。
【００７８】
ここで、プリコーディング方式は、アナログ領域ビームフォーミングに用いられるビーム及び／又はデジタル領域プリコーディングに用いられるプリコーディング行列を含む。端末装置は、アナログプリコーディングとデジタルプリコーディングを組み合わせて結合したプリコーディング行列を得て、アップリンクデータのプリコーディング方式とすることもできる。
【００７９】
ネットワーク側装置から送信されたＤＣＩには、アップリンクデータに用いられるプリコーディング行列を指示するための情報が含まれず、端末装置は、ＤＣＩにおけるＲＩ及び／又はＳＲＩ、少なくとも１つのＳＲＳリソース及びチャネルの相互性に基づいて、アップリンクデータのプリコーディング方式を決定することができる。
【００８０】
ここで、少なくとも１つのＳＲＳリソースのうちの各ＳＲＳリソースは、いずれも単一のアンテナポートを用いる。
【００８１】
又は、少なくとも１つのＳＲＳリソースのうちの各ＳＲＳリソースは、いずれもＮ個のアンテナポートを用いる。
【００８２】
又は、少なくとも１つのＳＲＳリソースはＫ個のＳＲＳリソースであり、且つ、ｋ番目のＳＲＳリソースはｋ個のアンテナポートを用いる。
【００８３】
Ｎはアップリンクデータ伝送のためのポートの数であり、１≦ｋ≦Ｋ、Ｋ≦Ｎである。
【００８４】
ＳＲＳ伝送に用いられるビームは、端末装置によりダウンリンク信号から取得されたダウンリンクチャネル情報に基づいて決定されたものであってもよい。
【００８５】
ネットワーク側装置の具体的な動作方式は図１に示した実施例における関連説明を参照されたい。その説明を省略する。
【００８６】
以上、方法の実施例を説明したが、以下、装置の実施例によって、本発明の技術的解決手段を更に説明する。
【００８７】
図２は、本発明に係る端末装置の実施例の構成を示す概略図である。図２に示すように、該端末装置は、情報処理ユニット２０１と、プリコーディング方式決定ユニット２０２と、アップリンクデータ処理ユニット２０３とを備える。
【００８８】
情報処理ユニット２０１は、少なくとも１つのＳＲＳリソースでＳＲＳを伝送し、ネットワーク側から、アップリンクデータ伝送のスケジューリングに用いられる、ＲＩ及び／又はＳＲＩを含むＤＣＩを受信するために用いられる。
【００８９】
プリコーディング方式決定ユニット２０２は、ＲＩ及び／又はＳＲＩ、並びに前記少なくとも１つのＳＲＳリソースに基づいて、アップリンクデータのプリコーディング方式を決定するために用いられる。
【００９０】
アップリンクデータ処理ユニット２０３は、プリコーディング方式に基づいて前記アップリンクデータのプリコーディングを行い、プリコーディングされたアップリンクデータを送信するために用いられる。
【００９１】
プリコーディング方式は、アナログ領域ビームフォーミングに用いられるビーム及び／又はデジタル領域プリコーディングに用いられるプリコーディング行列を含む。端末装置は、アナログプリコーディングとデジタルプリコーディングを組み合わせて結合したプリコーディング行列を得て、アップリンクデータのプリコーディング方式とすることもできる。
【００９２】
ＤＣＩには、アップリンクデータに用いられるプリコーディング行列を指示するための情報が含まれない。具体的には、ＤＣＩには、ＰＭＩ指示の情報領域が含まれなくてもよく、又は、ＤＣＩには、ＰＭＩ指示の情報領域が含まれるが、プリコーディング行列を指示するためのものではなく、アンテナポート等のような他の情報を指示するためのものである。
【００９３】
ＤＣＩにＲＩ及び／又はＳＲＩが含まれることは、ＤＣＩにＲＩ又はＳＲＩのみが含まれてもよく、ＲＩ及びＳＲＩが同時に含まれてもよいことを指し、具体的にはどのようなものが含まれるかは、ネットワーク側によって設定される。
【００９４】
ここで、少なくとも１つのＳＲＳリソースのうちの各ＳＲＳリソースはいずれも単一のアンテナポートを用いる。
【００９５】
又は、少なくとも１つのＳＲＳリソースのうちの各ＳＲＳリソースはいずれもＮ個のアンテナポートを用いる。
【００９６】
又は、少なくとも１つのＳＲＳリソースはＫ個のＳＲＳリソースであり、且つ、ｋ番目のＳＲＳリソースはｋ個のアンテナポートを用いる。
【００９７】
Ｎはアップリンクデータ伝送のためのポートの数であり、１≦ｋ≦Ｋ、Ｋ≦Ｎである。
【００９８】
また、情報処理ユニット２０１は、ダウンリンク信号から取得したダウンリンクチャネル情報に基づいて、ＳＲＳ伝送に用いられるビームを決定することができる。
【００９９】
プリコーディング方式決定ユニット２０２は、アップリンクデータのプリコーディング方式を決定する。具体的には、以下の５種の方式を用いることができる。
【０１００】
１）方式１
プリコーディング方式決定ユニット２０２は、ＲＩ及びＳＲＩに基づいて、少なくとも１つのＳＲＳリソースのうちのターゲットＳＲＳリソースを決定し、ターゲットＳＲＳリソースに用いられるプリコーディング方式に基づいて、アップリンクデータのプリコーディング方式を決定することができる。
【０１０１】
ここで、プリコーディング方式決定ユニット２０２は、ＲＩに基づいて、ターゲットＳＲＳリソースの数を決定し、更に、ターゲットＳＲＳリソースの数及びＳＲＩに基づいて、ターゲットＳＲＳリソースを決定することができる。
【０１０２】
ターゲットＳＲＳリソースの数が異なる時、ＳＲＩとターゲットＳＲＳリソースとの対応関係も異なる。
【０１０３】
少なくとも１つのＳＲＳリソースが４つのＳＲＳリソースであるとすれば、ＲＩ（２ビット）指示の異なるＲａｎｋ値に対応して、ＳＲＩとＳＲＳリソースとの対応関係は、表１に示すとおりである。
【０１０４】
該方式において、少なくとも１つのＳＲＳリソースのうちの各ＳＲＳリソースはいずれも単一のアンテナポートを用いる。
【０１０５】
各ターゲットＳＲＳリソースは１つのアップリンクトランスポート層に対応する。プリコーディング方式決定ユニット２０２はアップリンクデータのプリコーディング方式を決定する時、各ターゲットＳＲＳリソースに用いられるビーム及びプリコーディング行列を、１つのトランスポート層による伝送に用いられるビーム及びプリコーディング行列とすることができる。
【０１０６】
２）方式２
プリコーディング方式決定ユニット２０２は、ＲＩに基づいてトランスポート層数を決定し、トランスポート層数及びアップリンクチャネル情報に基づいてアップリンクデータのプリコーディング行列を決定し、ＳＲＩに基づいて少なくとも１つのＳＲＳリソースのうちのターゲットＳＲＳリソースを決定し、ターゲットＳＲＳリソースに用いられるビームに基づいて、アップリンクデータに用いられるビームを決定し、決定したプリコーディング行列及びビームに基づいて、アップリンクデータのプリコーディング方式を得ることができる。
【０１０７】
プリコーディング方式決定ユニット２０２は、ダウンリンク信号に基づいて取得したダウンリンクチャネル情報に基づいて、アップリンクチャネル情報を取得することができる。
【０１０８】
ダウンリンク信号は、ＤＣＩにおけるＰＭＩ指示領域によって、端末装置に指示される。
【０１０９】
なお、ダウンリンク信号とは、ダウンリンク基準信号又はダウンリンク同期信号を指してもよい。
【０１１０】
プリコーディング方式決定ユニット２０２はＲＩに基づいて、トランスポート層数を決定してから、トランスポート層数とアップリンクチャネル情報を組み合わせてアップリンクデータのプリコーディング行列を決定することができる。例えば、アップリンクチャネル情報におけるアップリンクチャネル関連行列又は共分散行列の最初のＲ個の特徴ベクトルをアップリンクデータのプリコーディング行列とすることができ、Ｒはトランスポート層数を表す。
【０１１１】
該方式において、少なくとも１つのＳＲＳリソースのうちの各ＳＲＳリソースはいずれもＮ個のアンテナポートを用い、Ｎはアップリンクデータ伝送のためのポートの数である。
【０１１２】
３）方式３
プリコーディング方式決定ユニット２０２は、ＲＩに基づいてトランスポート層数を決定し、トランスポート層数及びアップリンクチャネル情報に基づいて、アップリンクデータのプリコーディング行列を決定し、少なくとも１つのＳＲＳリソースに用いられるビームに基づいて、アップリンクデータに用いられるビームを決定し、決定したプリコーディング行列及びビームに基づいて、アップリンクデータのプリコーディング方式を得ることができる。
【０１１３】
該方式において、ＲＩが所在するＤＣＩには、ＳＲＳリソース指示情報が含まれない。
【０１１４】
プリコーディング方式決定ユニット２０２は、ダウンリンク信号に基づいて取得したダウンリンクチャネル情報に基づいて、アップリンクチャネル情報を取得することができる。
【０１１５】
ダウンリンク信号は、ＤＣＩにおけるＰＭＩ指示領域によって、端末装置に指示される。
【０１１６】
なお、ダウンリンク信号とは、ダウンリンク基準信号又はダウンリンク同期信号を指してもよい。
【０１１７】
なお、該方式において、少なくとも１つのＳＲＳリソースのうちの各ＳＲＳリソースはいずれもＮ個のアンテナポートを用い、Ｎはアップリンクデータ伝送のためのポートの数である。
【０１１８】
少なくとも１つのＳＲＳリソースは１つのＳＲＳリソースである。
【０１１９】
プリコーディング方式決定ユニット２０２は、アップリンクデータのプリコーディング方式を決定する時、少なくとも１つのＳＲＳリソースに用いられるビームを、アップリンクデータに用いられるビームとし、ＲＩ及びアップリンクチャネル情報に基づいて決定したプリコーディング行列をアップリンクデータのプリコーディング行列とすることができる。
【０１２０】
４）方式４
プリコーディング方式決定ユニット２０２は、ＳＲＩに基づいて少なくとも１つのＳＲＳリソースのうちのターゲットＳＲＳリソースを決定し、ターゲットＳＲＳリソースに用いられるプリコーディング方式に基づいてアップリンクデータのプリコーディング方式を決定することができる。
【０１２１】
該方式において、ＳＲＩが所在するＤＣＩには、トランスポート層数指示情報が含まれない。
【０１２２】
プリコーディング方式決定ユニット２０２は、ターゲットＳＲＳリソースのポートの数又はターゲットＳＲＳリソースの数に基づいてトランスポート層数を決定することができる。
【０１２３】
例えば、少なくとも１つのＳＲＳリソースのうちの各ＳＲＳリソースがいずれも単一のアンテナポートを用いると、ＳＲＩはｂｉｔｍａｐの方式で少なくとも１つのＳＲＳリソースからターゲットＳＲＳリソースを指示することができる。ターゲットＳＲＳリソースの数は、トランスポート層数である。各ターゲットＳＲＳリソースはそれぞれ１つのアップリンクトランスポート層に対応する。各ターゲットＳＲＳリソースに用いられるビーム及びプリコーディング行列を、それぞれ１つのトランスポート層による伝送に用いられるビーム及びプリコーディング行列とすることができる。
【０１２４】
また、例えば、少なくとも１つのＳＲＳリソースがＫ個のＳＲＳリソースであり、且つ、ｋ番目のＳＲＳリソースがｋ個のアンテナポートを用い、Ｎはアップリンクデータ伝送のためのポートの数であり、１≦ｋ≦Ｋ、Ｋ≦Ｎであるとすれば、ＳＲＩは、Ｋ個のＳＲＳリソースから１つのＳＲＳリソースのインデックスを指示してターゲットＳＲＳリソースとすることができる。ターゲットＳＲＳリソースのポートの数は、トランスポート層数である。ネットワーク側は、ＳＲＳリソース指示プロセスにおいて、トランスポート層数及びプリコーディング方式を同時に指示する。該方式について、各ターゲットＳＲＳリソースは１つのアップリンクトランスポート層数に対応する。ターゲットＳＲＳリソースのｋ個のポートに用いられるビーム及びプリコーディング行列を、それぞれｋ個のトランスポート層による伝送に用いられるビーム及びプリコーディング行列として用いることができる。
【０１２５】
５）方式５
プリコーディング方式決定ユニット２０２は、ＲＩに基づいて、少なくとも１つのＳＲＳリソースのうちのターゲットＳＲＳリソースを決定し、ターゲットＳＲＳリソースに用いられるプリコーディング方式に基づいて、アップリンクデータのプリコーディング方式を決定することができる。
【０１２６】
該方式において、ＲＩが所在するＤＣＩには、ＳＲＳリソース指示情報が含まれない。
【０１２７】
少なくとも１つのＳＲＳリソースがＫ個のＳＲＳリソースであり、且つ、ｋ番目のＳＲＳリソースがｋ個のアンテナポートを用いる。ここで、Ｎはアップリンクデータ伝送のためのポートの数であり、１≦ｋ≦Ｋ、Ｋ≦Ｎである。
【０１２８】
該方式において、ターゲットＳＲＳリソースの数は１つであり、ターゲットＳＲＳリソースのポートの数は、トランスポート層数である。ＲＩは、トランスポート層数及びターゲットＳＲＳリソースを同時に指示するためのものである。各ターゲットＳＲＳリソースは、１つのアップリンクトランスポート層数に対応する。ターゲットＳＲＳリソースのｋ個のポートに用いられるビーム及びプリコーディング行列を、それぞれｋ個のトランスポート層による伝送に用いられるビーム及びプリコーディング行列として用いることができる。
【０１２９】
プリコーディング方式決定ユニット２０２は、ネットワーク側から取得したプリコーディング方式指示情報又は少なくとも１つのＳＲＳリソースに用いられるポートの数に基づいて、アップリンクデータのプリコーディング方式の決定に用いられる方式を決定することができる。
【０１３０】
図３は本発明のネットワーク側装置の実施例の構成を示す概略図である。図３に示すように、ネットワーク側装置は、第１処理ユニット３０１と、第２処理ユニット３０２とを備える。
【０１３１】
第１処理ユニット３０１は、端末装置により少なくとも１つのＳＲＳリソースで伝送されるＳＲＳを取得し、アップリンクデータ伝送のスケジューリングに用いられる、ＲＩ及び／又はＳＲＩを含むＤＣＩを端末装置に送信し、これにより、端末装置が少なくとも１つのＳＲＳリソースとＲＩ及び／又はＳＲＩに基づいて、アップリンクデータのプリコーディング方式を決定し、前記プリコーディング方式に基づいて前記アップリンクデータのプリコーディングを行うようにするために用いられる。
【０１３２】
第２処理ユニット３０２は、端末装置からのプリコーディングされた前記アップリンクデータを受信するために用いられる。
【０１３３】
プリコーディング方式は、アナログ領域ビームフォーミングに用いられるビーム及び／又はデジタル領域プリコーディングに用いられるプリコーディング行列を含む。端末装置は、アナログプリコーディングとデジタルプリコーディングを組み合わせて結合したプリコーディング行列を得て、アップリンクデータのプリコーディング方式とすることもできる。
【０１３４】
ＤＣＩには、アップリンクデータに用いられるプリコーディング行列を指示するための情報が含まれず、端末装置は、ＤＣＩにおけるＲＩ及び／又はＳＲＩ、少なくとも１つのＳＲＳリソース及びチャネルの相互性に基づいて、アップリンクデータのプリコーディング方式を決定することができる。
【０１３５】
ここで、少なくとも１つのＳＲＳリソースのうちの各ＳＲＳリソースは、いずれも単一のアンテナポートを用いる。
【０１３６】
又は、少なくとも１つのＳＲＳリソースのうちの各ＳＲＳリソースは、いずれもＮ個のアンテナポートを用いる。
【０１３７】
又は、少なくとも１つのＳＲＳリソースはＫ個のＳＲＳリソースであり、且つ、ｋ番目のＳＲＳリソースはｋ個のアンテナポートを用いる。
【０１３８】
Ｎはアップリンクデータ伝送のためのポートの数であり、１≦ｋ≦Ｋ、Ｋ≦Ｎである。
【０１３９】
なお、ＳＲＳ伝送に用いられるビームは、端末装置によりダウンリンク信号から取得されたダウンリンクチャネル情報に基づいて決定されたものであってもよい。
【０１４０】
本発明は、アップリンクプリコーディングシステムを更に開示する。該システムは、図２に示した端末装置と図３に示したネットワーク側装置とを備える。
【０１４１】
上記各実施例において、重点を置きながら各実施例を説明したが、実施例に詳しく説明されない部分について、他の実施例における関連説明を参照されたい。
【０１４２】
要するに、上記各実施例に係わる技術的解決手段を用いると、端末装置は、ネットワーク側のＲＩ及び／又はＳＲＩ情報、少なくとも１つのＳＲＳリソース及びチャネルの相互性に基づいて、アップリンクデータのプリコーディング方式を決定することができ、ＤＣＩにおけるシグナリングオーバーヘッドを低下させるだけでなく、アップリンクプリコーディングゲインを向上させることもできる。
【０１４３】
本発明で提供する幾つかの実施例で開示した装置及び方法等は、他の方式によって実現できることを理解すべきである。例えば、以上に記載した装置の実施例はただ例示的なもので、例えば、前記ユニットの分割はただロジック機能の分割で、実際に実現する時は他の分割方式によってもよい。
【０１４４】
分離部材として説明した該ユニットは、物理的に別個のものであってもよく、そうでなくてもよい。ユニットとして示された部材は、物理的ユニットであってもよく、そうでなくてもよい。即ち、同一の位置に位置してもよく、複数のネットワークに分布してもよい。実際の需要に応じてそのうちの一部又は全てのユニットにより本実施例の方策の目的を実現することができる。
【０１４５】
また、本発明の各実施例における各機能ユニットは一つの処理ユニットに集積されてもよく、各ユニットが物理的に別個のものとして存在してもよく、２つ以上のユニットが一つのユニットに集積されてもよい。上記集積されたユニットは、ハードウエアの形式を用いて実現してもよく、ハードウエアとソフトウェアを組み合わせた機能的ユニットの形式を用いて実現してもよい。
【０１４６】
前記のソフト機能ユニットの形式に実現した集積ユニットは、コンピュータの読み取り可能な記憶媒体に記憶されていてもよい。上記ソフト機能ユニットは記憶媒体に記憶され、コンピュータ設備（パソコン、サーバ、又はネットワーク装置など）又はプロセッサ（ｐｒｏｃｅｓｓｏｒ）に、本発明の各実施例に記載の方法の全部又は一部のステップを実行させるための若干の命令を含む。前記の記憶媒体は、Ｕディスク、リムーバブルハードディスク、読み出し専用メモリ（Ｒｅａｄ−ｏｎｌｙ  Ｍｅｍｏｒｙ：ＲＯＭ）、ランダムアクセスメモリ（Ｒａｎｄｏｍ  Ａｃｃｅｓｓ  Ｍｅｍｏｒｙ：ＲＡＭ）、ディスク、又は光ディスクなど、プログラムコードを記憶可能な各種の媒体を含む。
【０１４７】
以上の説明は、あくまでも、本発明の好適な実施形態であり、本発明を限定するものではなく、本発明の精神及び原則を逸脱しないいかなる変更、均等な置換、改良等は、全て本発明の保護範囲内に含まれる。
【図１】
2020521381.tif 000004
【図２】
2020521381.tif 000005
【図３】
2020521381.tif 000006
【手続補正書】
【提出日】令和2年4月30日(2020.4.30)
【手続補正１】
【補正対象書類名】特許請求の範囲
【補正対象項目名】全文
【補正方法】変更
【補正の内容】
【特許請求の範囲】
【請求項１】
アップリンクプリコーディング方法であって、
端末装置が少なくとも１つのサウンディング基準信号（ＳＲＳ）リソースでＳＲＳを伝送することと、
前記端末装置が、ネットワーク側から、アップリンクデータ伝送のスケジューリングに用いられるダウンリンク制御情報（ＤＣＩ）を受信することであって、前記ＤＣＩはランク指示（ＲＩ）及び／又はサウンディング基準信号リソース指示（ＳＲＩ）を含むことと、
前記端末装置が前記ＲＩ及び／又は前記ＳＲＩ、並びに前記少なくとも１つのＳＲＳリソースに基づいて、前記アップリンクデータのプリコーディング方式を決定することと、
前記端末装置が前記プリコーディング方式に基づいて前記アップリンクデータのプリコーディングを行い、プリコーディングされた前記アップリンクデータを送信することとを含むことを特徴とする、前記方法。
【請求項２】
前記プリコーディング方式は、アナログ領域ビームフォーミングに用いられるビーム及び／又はデジタル領域プリコーディングに用いられるプリコーディング行列を含むことを特徴とする
請求項１に記載の方法。
【請求項３】
前記ＤＣＩには、前記アップリンクデータに用いられるプリコーディング行列を指示するための情報が含まれないことを特徴とする
請求項１に記載の方法。
【請求項４】
前記少なくとも１つのＳＲＳリソースのうちの各ＳＲＳリソースはいずれも単一のアンテナポートを用い、
又は、前記少なくとも１つのＳＲＳリソースのうちの各ＳＲＳリソースはいずれもＮ個のアンテナポートを用い、
又は、前記少なくとも１つのＳＲＳリソースは、Ｋ個のＳＲＳリソースであり、且つ、ｋ番目のＳＲＳリソースはｋ個のアンテナポートを用い、
ここで、Ｎはアップリンクデータ伝送のためのポートの数であり、１≦ｋ≦Ｋ、Ｋ≦Ｎであることを特徴とする
請求項１に記載の方法。
【請求項５】
前記端末装置は、ダウンリンク信号から取得したダウンリンクチャネル情報に基づいて、前記ＳＲＳの伝送に用いられるビームを決定することを特徴とする
請求項１に記載の方法。
【請求項６】
前記端末装置が前記ＲＩ及び／又は前記ＳＲＩ並びに前記少なくとも１つのＳＲＳリソースに基づいて、前記アップリンクデータのプリコーディング方式を決定することは、
前記ＲＩに基づいてトランスポート層数を決定し、前記トランスポート層数及びアップリンクチャネル情報に基づいて前記アップリンクデータのプリコーディング行列を決定することと、
前記ＳＲＩに基づいて、前記少なくとも１つのＳＲＳリソースのうちのターゲットＳＲＳリソースを決定し、前記ターゲットＳＲＳリソースに用いられるビームに基づいて、前記アップリンクデータに用いられるビームを決定することと、
決定したプリコーディング行列及びビームに基づいて、前記アップリンクデータのプリコーディング方式を得ることとを含むことを特徴とする
請求項１に記載の方法。
【請求項７】
前記端末装置が前記ＲＩ及び／又は前記ＳＲＩ並びに前記少なくとも１つのＳＲＳリソースに基づいて、前記アップリンクデータのプリコーディング方式を決定することは、
前記ＳＲＩに基づいて、前記少なくとも１つのＳＲＳリソースのうちのターゲットＳＲＳリソースを決定することと、
前記ターゲットＳＲＳリソースに用いられるプリコーディング方式に基づいて、前記アップリンクデータのプリコーディング方式を決定することとを含むことを特徴とする
請求項１に記載の方法。
【請求項８】
前記ＳＲＩが所在するＤＣＩには、トランスポート層数指示情報が含まれなく、
前記端末装置は、前記ターゲットＳＲＳリソースのポートの数又は前記ターゲットＳＲＳリソースの数に基づいて、トランスポート層数を決定することを特徴とする
請求項７に記載の方法。
【請求項９】
前記方法は、前記端末装置がネットワーク側から取得したプリコーディング方式指示情報又は前記少なくとも１つのＳＲＳリソースに用いられるポートの数に基づいて、前記アップリンクデータのプリコーディング方式の決定に用いられる方式を決定することを更に含むことを特徴とする
請求項１に記載の方法。
【請求項１０】
前記方法は、前記プリコーディング方式をダウンリンク信号から取得したダウンリンクチャネル情報に基づいて決定することを更に含むことを特徴とする
請求項１に記載の方法。
【請求項１１】
情報処理ユニットと、プリコーディング方式決定ユニットと、アップリンクデータ処理ユニットとを備える端末装置であって、
前記情報処理ユニットは、少なくとも１つのサウンディング基準信号（ＳＲＳ）リソースでＳＲＳを伝送し、ネットワーク側から、アップリンクデータ伝送のスケジューリングに用いられるダウンリンク制御情報（ＤＣＩ）を受信するために用いられ、前記ＤＣＩは、ランク指示（ＲＩ）及び／又はサウンディング基準信号リソース指示（ＳＲＩ）を含み、
前記プリコーディング方式決定ユニットは、前記ＲＩ及び／又は前記ＳＲＩ、並びに前記少なくとも１つのＳＲＳリソースに基づいて、前記アップリンクデータのプリコーディング方式を決定するために用いられ、
前記アップリンクデータ処理ユニットは、前記プリコーディング方式に基づいて前記アップリンクデータのプリコーディングを行い、プリコーディングされた前記アップリンクデータを送信するために用いられることを特徴とする、前記端末装置。
【請求項１２】
前記プリコーディング方式は、アナログ領域ビームフォーミングに用いられるビーム及び／又はデジタル領域プリコーディングに用いられるプリコーディング行列を含むことを特徴とする
請求項１１に記載の端末装置。
【請求項１３】
前記ＤＣＩには、前記アップリンクデータに用いられるプリコーディング行列を指示するための情報が含まれないことを特徴とする
請求項１１に記載の端末装置。
【請求項１４】
前記少なくとも１つのＳＲＳリソースのうちの各ＳＲＳリソースはいずれも単一のアンテナポートを用い、
又は、前記少なくとも１つのＳＲＳリソースのうちの各ＳＲＳリソースはいずれもＮ個のアンテナポートを用い、
又は、前記少なくとも１つのＳＲＳリソースは、Ｋ個のＳＲＳリソースであり、且つ、ｋ番目のＳＲＳリソースはｋ個のアンテナポートを用い、
ここで、Ｎはアップリンクデータ伝送のためのポートの数であり、１≦ｋ≦Ｋ、Ｋ≦Ｎであることを特徴とする
請求項１１に記載の端末装置。
【請求項１５】
前記情報処理ユニットは、ダウンリンク信号から取得したダウンリンクチャネル情報に基づいて、前記ＳＲＳの伝送に用いられるビームを決定することを特徴とする
請求項１１に記載の端末装置。
【請求項１６】
前記プリコーディング方式決定ユニットは、前記ＲＩに基づいてトランスポート層数を決定し、前記トランスポート層数及びアップリンクチャネル情報に基づいて前記アップリンクデータのプリコーディング行列を決定し、前記ＳＲＩに基づいて、前記少なくとも１つのＳＲＳリソースのうちのターゲットＳＲＳリソースを決定し、前記ターゲットＳＲＳリソースに用いられるビームに基づいて、前記アップリンクデータに用いられるビームを決定し、決定したプリコーディング行列及びビームに基づいて、前記アップリンクデータのプリコーディング方式を得ることとを含むことを特徴とする
請求項１１に記載の端末装置。
【請求項１７】
前記プリコーディング方式決定ユニットは、前記ＳＲＩに基づいて、前記少なくとも１つのＳＲＳリソースのうちのターゲットＳＲＳリソースを決定し、前記ターゲットＳＲＳリソースに用いられるプリコーディング方式に基づいて、前記アップリンクデータのプリコーディング方式を決定することを特徴とする
請求項１１に記載の端末装置。
【請求項１８】
前記ＳＲＩが所在するＤＣＩには、トランスポート層数指示情報が含まれなく、
前記プリコーディング方式決定ユニットは、前記ターゲットＳＲＳリソースのポートの数又は前記ターゲットＳＲＳリソースの数に基づいて、トランスポート層数を決定することを特徴とする
請求項１７に記載の端末装置。
【請求項１９】
前記プリコーディング方式決定ユニットは更に、ネットワーク側から取得したプリコーディング方式指示情報又は前記少なくとも１つのＳＲＳリソースに用いられるポートの数に基づいて、前記アップリンクデータのプリコーディング方式の決定に用いられる方式を決定するために用いられることを特徴とする
請求項１１に記載の端末装置。
【請求項２０】
前記プリコーディング方式をダウンリンク信号から取得したダウンリンクチャネル情報に基づいて決定することを特徴とする
請求項１１に記載の端末装置。
【国際調査報告】
2020521381.tif 000007
2020521381.tif 000008
2020521381.tif 000009
2020521381.tif 000010